【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
複数の設定値のうちいずれかの設定値に設定可能な設定手段と、
前記設定手段により設定された設定値に応じて異なる割合で前記有利状態に制御すると決定可能な決定手段と、
前記有利状態に制御されることを前記決定手段による決定の前に判定可能な判定手段と、
前記判定手段の判定結果に基づいて、先読み演出を実行する先読み演出実行手段と、
前記設定手段により設定値を設定するための処理が行われた後の、保留可能な保留記憶数の上限数の可変表示が実行される期間において、前記先読み演出の実行を制限する制限手段と、を備える
ことを特徴とする遊技機。
【手続補正２】
【補正対象書類名】明細書
【補正対象項目名】０００２
【補正方法】変更
【補正の内容】
【０００２】
例えば特許文献１には、停電復旧前に保留された可変表示についての先読み演出の実行を停電復旧後においては制限する遊技機が開示されている。
【手続補正３】
【補正対象書類名】明細書
【補正対象項目名】０００３
【補正方法】変更
【補正の内容】
【０００３】
【特許文献１】特開２０１２−１００７８７号公報
【手続補正４】
【補正対象書類名】明細書
【補正対象項目名】０００４
【補正方法】変更
【補正の内容】
【０００４】
しかしながら、停電復旧後以外で、先読み演出の実行を制限したい場合がある。
【手続補正５】
【補正対象書類名】明細書
【補正対象項目名】０００５
【補正方法】変更
【補正の内容】
【０００５】
この発明は、上記の実状に鑑みてなされたものであり、先読み演出の実行を適切に制限する遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技を行い、遊技者にとって有利な有利状態に制御可能な遊技機であって、
複数の設定値のうちいずれかの設定値に設定可能な設定手段と、
前記設定手段により設定された設定値に応じて異なる割合で前記有利状態に制御すると決定可能な決定手段と、
前記有利状態に制御されることを前記決定手段による決定の前に判定可能な判定手段と、
前記判定手段の判定結果に基づいて、先読み演出を実行する先読み演出実行手段と、
前記設定手段により設定値を設定するための処理が行われた後の、保留可能な保留記憶数の上限数の可変表示が実行される期間において、前記先読み演出の実行を制限する制限手段と、を備える
ことを特徴とする。
（１）また、他の遊技機として、
遊技を行い、遊技者にとって有利な有利状態（例えば、大当り遊技状態）に制御可能な遊技機（例えば、パチンコ遊技機１など）であって、
複数の設定値のうちいずれかの設定値に設定可能な設定手段（例えば、ＣＰＵ１０３がステップ８２ＡＫＳ００２を実行する部分）と、
前記設定手段により設定された設定値に応じて異なる割合で前記有利状態に制御するか否かを決定する決定手段（例えば、ＣＰＵ１０３がステップＳ１１０にて表示結果を決定する部分）と、
前記有利状態に制御するか否かを前記決定手段による決定の前に先読み判定する先読み判定手段（例えば、ＣＰＵ１０３がステップＳ１０１にて先読み判定する部分）と、
前記先読み判定手段の判定結果に基づいて、先読み演出（例えば、先読み予告）を実行する先読み演出実行手段（例えば、演出制御用ＣＰＵ１２０がステップＳ１６１にて先読み予告を実行する部分）と、
前記設定手段により設定値を設定するための処理（例えば、ステップ８２ＡＫＳ００２の処理）が行われたあとの特定期間（例えば、先読み予告制限期間）において前記先読み演出の実行を制限する制限手段（例えば、演出制御用ＣＰＵ１２０がステップ８２ＡＫＳ２０６にて先読み予告制限設定処理（ステップ８２ＡＫＳ３０５）を実行する部分）と、を備える、
ことを特徴としてもよい。
設定値の設定に関連し、例えば、決定手段の決定結果と、先読み判定手段の先読み判定結果と、の間のタイミングにおいて、新たな設定値の設定があった場合、前記決定結果と前記先読み判定結果とに齟齬が生じ、遊技の興趣が低下する恐れがあるが、上記構成によれば、特定期間において先読み演出の実行を制限するので、前記齟齬の発生を防止でき、遊技の興趣の低下を防止できる。
【手続補正７】
【補正対象書類名】明細書
【補正対象項目名】０００７
【補正方法】変更
【補正の内容】
【０００７】
（２）上記（１）の遊技機において、
前記特定期間は、保留可能な可変表示の上限数以上の可変表示が実行される期間（例えば、先読み予告制限期間）である、
ようにしてもよい。
上記構成によれば、設定値の設定前に保留された可変表示を特定期間内にすべて実行することができるので、前記齟齬発生を確実に防止できる。
【手続補正８】
【補正対象書類名】明細書
【補正対象項目名】０００８
【補正方法】変更
【補正の内容】
【０００８】
（３）上記（１）の遊技機において、
前記特定期間は、前記設定手段により設定値を設定するための処理（例えば、ステップ８２ＡＫＳ００２の処理）が行われるときに保留されている可変表示の数に基づいた数の可変表示が実行される期間である（例えば、変形例１）、
ようにしてもよい。
上記構成によれば、特定期間が不必要に長くなることを防止しながら、前記齟齬発生を防止できる。
【手続補正９】
【補正対象書類名】明細書
【補正対象項目名】０００９
【補正方法】変更
【補正の内容】
【０００９】
（４）上記（１）から（３）のいずれかの遊技機において、
前記制限手段は、デモ状態となったこと（例えば、客待ちデモ演出が開始されたこと）を契機に前記先読み演出の実行の制限を解除する（例えば、図２１−９参照）、
ようにしてもよい。
上記構成によれば、デモの実行により、設定値の設定前に保留された可変表示は全て実行されたことになるので、前記齟齬発生を確実に防止できる。
【手続補正１０】
【補正対象書類名】明細書
【補正対象項目名】００１０
【補正方法】変更
【補正の内容】
【００１０】
（５）上記（１）から（４）のいずれかの遊技機において、
前記先読み演出実行手段は、
前記先読み判定手段の判定結果に基づいて、少なくとも先読み演出を実行するか否かを決定する演出決定手段（例えば、演出制御用ＣＰＵ１２０がステップ８２ＡＫＳ３５３を実行する部分）と、
前記決定手段の決定結果に基づいて前記先読み演出を実行する演出実行手段（例えば、演出制御用ＣＰＵ１２０がステップ８２ＡＫＳ３５６を実行する部分及び表示制御部１２３が先読み予告を実行する部分）と、を備え、
前記制限手段は、前記演出決定手段による決定は制限せずに、前記演出実行手段により前記先読み演出の実行を制限する（例えば、ステップ８２ＡＫＳ３５５〜８２ＡＫＳ３５７）、
ようにしてもよい。
上記構成によれば、内部的な制御を簡単にできるとともに、特定期間終了後早いタイミングで先読み演出の実行を再開できる。
【手続補正１１】
【補正対象書類名】明細書
【補正対象項目名】００１１
【補正方法】変更
【補正の内容】
【００１１】
（６）上記（１）から（５）のいずれかの遊技機において、
遊技の進行に使用される情報を記憶可能な記憶手段（例えば、ＲＡＭ１２２）と、
前記記憶手段を初期化する初期化手段（例えば、ＣＰＵ１０３がステップＳａ９を実行する部分）と、をさらに備え、
前記制限手段は、前記初期化手段により前記記憶手段が初期化されたあと（例えば、コールドスタート）の第１所定期間（例えば、先読み予告制限期間）において前記先読み演出の実行を制限し（例えば、ＣＰＵ１０３がステップ８２ＡＫＳ２０２を実行する部分）、
前記特定期間と前記第１所定期間とは、同じ長さの期間である（例えば、制限期間カウンタに設定される初期値が同じ）、
ようにしてもよい。
上記構成によれば、設定値の設定が行われたかを分かり難くすることができる。なお、「同じ長さ」とは、実際の時間ではなく、可変表示の実行回数が同じなどを含む（以下、同じ）。
【手続補正１２】
【補正対象書類名】明細書
【補正対象項目名】００１２
【補正方法】変更
【補正の内容】
【００１２】
（７）上記（１）から（６）のいずれかの遊技機において、
遊技の進行に使用される情報を記憶可能な記憶手段（例えば、ＲＡＭ１２２）と、
前記記憶手段が記憶している情報を消去せずに前記遊技機を再起動する再起動手段（例
えば、ＣＰＵ１０３がステップＳａ１〜Ｓａ８、Ｓａ４１〜Ｓａ４２を実行する部分）と、をさらに備え、
前記制限手段は、前記再起動手段により前記遊技機を再起動したあと（例えば、ホットスタート）の第２所定期間（例えば、先読み予告制限期間）において前記先読み演出の実行を制限し（例えば、ＣＰＵ１０３がステップ８２ＡＫＳ２０２を実行する部分）、
前記特定期間と前記第２所定期間とは、同じ長さの期間である（例えば、制限期間カウンタに設定される初期値が同じ）、
ようにしてもよい。
上記構成によれば、設定値の設定が行われたかを分かり難くすることができる。
【手続補正１３】
【補正対象書類名】明細書
【補正対象項目名】００１３
【補正方法】変更
【補正の内容】
【００１３】
（８）上記（１）から（７）のいずれかの遊技機において、
前記設定手段は、設定値の設定動作（例えば、錠スイッチ５１への操作、設定切替スイッチ５２への操作）に基づいて設定値を設定可能であり（例えば、ステップ８２ＡＫＳ００１）、
前記設定手段により設定値が設定されたあとの第３所定期間内に設定値の設定動作（例えば、錠スイッチ５１のオン）が再度行われた際に異常を報知する異常報知手段をさらに備える（例えば、図２１−１０参照）、
ようにしてもよい。
上記構成によれば、不正を報知することができる。
（９）上記（１）から（８）のいずれかの遊技機において、
遊技媒体が所定領域に進入することに基づいて付与される遊技価値に関する情報（例えば、ベースなど）を表示可能な情報表示手段（例えば表示モニタ２９など）を備え、
前記情報表示手段は、前記設定手段により設定されている設定値を表示可能である（例えば第１表示部２９Ａによる表示など）、
ようにしてもよい。
上記構成によれば、情報表示手段を共用することで、遊技機のコストを削減できる。
（１０）上記（１）から（９）のいずれかの遊技機において、
遊技の進行を制御する遊技制御手段（例えば、主基板１１）と、
前記遊技制御手段からの情報に基づいて演出の実行を制御する演出制御手段（例えば、演出制御基板１２）と、を備え、
前記設定手段により設定値を設定可能な許可状態のときに、当該許可状態の終了を通知する通知情報とは異なる情報に基づいて前記演出制御手段による前記演出の実行の制御を制限する制御制限手段（例えば、演出制御基板１２がステップ８２ＡＫＳ２０７を実行する部分）とを備える、
ようにしてもよい。
上記構成によれば、意図しない演出の実行の制御を防止できる。